(57)【特許請求の範囲】
【請求項１】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分と、正の屈折力の第２レンズ成分と、負の屈折力の第３レンズ成分のみからなり、前記第１レンズ成分、前記第２レンズ成分、前記第３レンズ成分が、夫々１つの単レンズ又は１つの接合レンズからなり、かつ、次の条件式を満足することを特徴とする接眼レンズを備えた一眼レフカメラ。
０．１５＜  ｔａｎＳ  ＜  ０．３５
２．００＜  ｆｂ／Ｙ  ＜  ５．００
−０．５６≦  ｆ３／ｆ  ＜−０．２５
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項２】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分と、正の屈折力の第２レンズ成分と、負の屈折力の第３レンズ成分のみからなり、前記第１レンズ成分、前記第２レンズ成分、前記第３レンズ成分が、夫々１つの単レンズ又は１つの接合レンズからなり、かつ、次の条件式を満足することを特徴とする接眼レンズを備えた一眼レフカメラ。
０．１５＜  ｔａｎＳ  ＜  ０．３５
−０．５６≦  ｆ３／ｆ  ＜−０．３７
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【請求項３】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分と、正の屈折力の第２レンズ成分と、負の屈折力の第３レンズ成分のみからなり、前記第１レンズ成分、前記第２レンズ成分、前記第３レンズ成分が、夫々１つの単レンズ又は１つの接合レンズからなり、かつ、次の条件式を満足することを特徴とする接眼レンズを備えた一眼レフカメラ。
０．１５＜  ｔａｎＳ  ＜  ０．３５
−０．５６≦  ｆ３／ｆ  ＜−０．３３
０．００≦｜ｆ／ｆ２３｜＜０．２５８
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項４】
前記第１レンズ成分のみを移動させることにより視度調整を行うようにしたことを特徴とする請求項１〜３の何れかに記載の接眼レンズを備えた一眼レフカメラ。
【請求項５】
前記第１レンズ成分及び第２レンズ成分のみを移動させることにより視度調整を行うようにしたことを特徴とする請求項１〜３の何れかに記載の接眼レンズを備えた一眼レフカメラ。
【請求項６】
次の条件式を満足することを特徴とする請求項１に記載の接眼レンズを備えた一眼レフカメラ。
１５ｍｍ＜  Ｙ  ＜  ３０ｍｍ
ただし、Ｙはスクリーン面における画面対角長である。
【請求項７】
次の条件式を満足することを特徴とする請求項１に記載の接眼レンズを備えた一眼レフカメラ。
０．００≦｜ｆ／ｆ２３｜＜０．３３３
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項８】
次の条件式を満足することを特徴とする請求項１に記載の接眼レンズを備えた一眼レフカメラ。
２．００＜  ｆｂ／Ｙ  ＜  ４．００
【請求項９】
次の条件式を満足することを特徴とする請求項１に記載の接眼レンズを備えた一眼レフカメラ。
−０．５６≦  ｆ３／ｆ  ＜−０．３３
【請求項１０】
次の条件式を満足することを特徴とする請求項１に記載の接眼レンズを備えた一眼レフカメラ。
−０．５６≦  ｆ３／ｆ  ＜−０．３７
【請求項１１】
次の条件式を満足することを特徴とする請求項１に記載の接眼レンズを備えた一眼レフカメラ。
−０．５６≦  ｆ３／ｆ  ＜−０．３５
【請求項１２】
次の条件式を満足することを特徴とする請求項１に記載の接眼レンズを備えた一眼レフカメラ。
−０．５６≦  ｆ３／ｆ  ＜−０．４０
【請求項１３】
次の条件式を満足することを特徴とする請求項２に記載の接眼レンズを備えた一眼レフカメラ。
１５ｍｍ＜  Ｙ  ＜  ３０ｍｍ
ただし、Ｙはスクリーン面における画面対角長である。
【請求項１４】
次の条件式を満足することを特徴とする請求項２に記載の接眼レンズを備えた一眼レフカメラ。
０．００≦｜ｆ／ｆ２３｜＜０．３３３
ただし、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【請求項１５】
次の条件式を満足することを特徴とする請求項２に記載の接眼レンズを備えた一眼レフカメラ。
−０．５６≦  ｆ３／ｆ  ＜−０．４０
【請求項１６】
次の条件式を満足することを特徴とする請求項３に記載の接眼レンズを備えた一眼レフカメラ。
２．００＜  ｆｂ／Ｙ  ＜  ５．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
【請求項１７】
次の条件式を満足することを特徴とする請求項３に記載の接眼レンズを備えた一眼レフカメラ。
２．００＜  ｆｂ／Ｙ  ＜  ４．００
ただし、ｆｂはスクリーン面から第１レンズ成分の入射面までの空気換算長であり、接眼レンズが移動する場合は視度０ｍ-1における空気換算長、Ｙはスクリーン面における画面対角長である。
【請求項１８】
次の条件式を満足することを特徴とする請求項３に記載の接眼レンズを備えた一眼レフカメラ。
１５ｍｍ＜  Ｙ  ＜  ３０ｍｍ
ただし、Ｙはスクリーン面における画面対角長である。
【請求項１９】
次の条件式を満足することを特徴とする請求項３に記載の接眼レンズを備えた一眼レフカメラ。
−０．５６≦  ｆ３／ｆ  ＜−０．３７
【請求項２０】
次の条件式を満足することを特徴とする請求項３に記載の接眼レンズを備えた一眼レフカメラ。
−０．５６≦  ｆ３／ｆ  ＜−０．３５
【請求項２１】
次の条件式を満足することを特徴とする請求項３に記載の接眼レンズを備えた一眼レフカメラ。
−０．５６≦  ｆ３／ｆ  ＜−０．４０
【請求項２２】
前記第１レンズ成分は両凸形状であり、前記第２レンズ成分は被写体側に凸面を向けたメニスカス形状であり、前記第３レンズ成分は被写体側面よりも瞳側面の方が曲率半径の絶対値が小さい形状であることを特徴とする請求項１〜３の何れかに記載の接眼レンズを備えた一眼レフカメラ。
【発明の詳細な説明】
【０００１】
【発明の属する技術分野】
本発明は、撮影レンズと一体に構成または撮影レンズとは独立して構成される、接眼レンズを備えた一眼レフカメラに関し、特に１３５ミリ版フイルムの半分程度の撮影画面をもつ接眼レンズを備えた一眼レフカメラに関するものである。
【０００２】
【従来の技術】
１３５Ｆサイズの画面サイズをもつファインダー系の接眼レンズに関しては、従来より多数の提案がなされているが、画面サイズの小さなカメラにおいても従来の接眼レンズをそのまま使うと小さな像しか観察することができず、観察者に及ぼす使用時の疲労が大きくなってしまう。そこで、ファインダーを介して大きな像を観察するためには、接眼レンズの焦点距離を短くする必要がある。
接眼レンズの焦点距離を短くした従来例としては、特公昭５７−６０６１２号公報、特公平７−１０７５８１号公報や特開平１１−３３７８４７号公報等に記載のものがある。
【０００３】
【発明が解決しようとする課題】
しかしながら、いずれの従来例も、画面サイズが１３５Ｆであったり、画面サイズに比べて像面から接眼レンズまでの距離が短かかったりして、ファインダーを介して大きな像を観察するのに十分ではない。
そこで本発明は、上記問題点に鑑みて、撮影画面サイズが１３５ミリ版フイルムよりも小さく、光路長が長いファインダーであっても、高倍率且つ見えの良い、接眼レンズを備えた一眼レフカメラを提供することを目的とする。
【０００４】
【課題を解決するための手段】
本第１の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分のみからなり、前記第１レンズ成分、前記第２レンズ成分、前記第３レンズ成分が、夫々１つの単レンズ又は１つの接合レンズからなり、かつ、次の条件式（１）〜（３）を満足することを特徴とする。
０．１５＜  ｔａｎＳ  ＜  ０．３５                          ・・・（１）
２．００＜  ｆｂ／Ｙ  ＜  ５．００                          ・・・（２）
−０．５６≦  ｆ３／ｆ  ＜−０．２５                          ・・・（３）
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【０００５】
また、本第２の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分のみからなり、前記第１レンズ成分、前記第２レンズ成分、前記第３レンズ成分が、夫々１つの単レンズ又は１つの接合レンズからなり、かつ、次の条件式（１），（８）を満足することを特徴とする。
０．１５＜  ｔａｎＳ  ＜  ０．３５                          ・・・（１）
−０．５６≦  ｆ３／ｆ  ＜−０．３７                          ・・・（８）
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【０００７】
また、本第３の発明による接眼レンズを備えた一眼レフカメラは、被写体の像が投影されるスクリーン面と、前記スクリーン面上の像を正立化させるための複数の反射面と、前記像を観察するための正の屈折力の接眼レンズとを含む一眼レフカメラにおいて、前記接眼レンズが、被写体側より順に、正の屈折力の第１レンズ成分と、正の屈折力の第２レンズ成分と、負の屈折力の第３レンズ成分のみからなり、前記第１レンズ成分、前記第２レンズ成分、前記第３レンズ成分が、夫々１つの単レンズ又は１つの接合レンズからなり、かつ、次の条件式（１），（６），（７）を満足することを特徴とする。
０．１５＜  ｔａｎＳ  ＜  ０．３５                          ・・・（１）
−０．５６≦  ｆ３／ｆ  ＜−０．３３                          ・・・（６）
０．００≦｜ｆ／ｆ２３｜＜０．２５８                        ・・・（７）
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【０００９】
また、本第４の発明による接眼レンズを備えた一眼レフカメラは、本第１〜第３のいずれかの発明において、前記第１レンズ成分のみを移動させることにより視度調整を行うようにしたことを特徴とする。
【００１０】
また、本第５の発明による接眼レンズを備えた一眼レフカメラは、本第１〜第３のいずれかの発明において、前記第１レンズ成分及び第２レンズ成分のみを移動させることにより視度調整を行うようにしたことを特徴とする。
また、本第６の発明による接眼レンズを備えた一眼レフカメラは、本第１の発明において、次の条件式を満足することを特徴とする。
１５ｍｍ＜  Ｙ  ＜  ３０ｍｍ                                ・・・（４）
ただし、Ｙはスクリーン面における画面対角長である。
また、本第７の発明による接眼レンズを備えた一眼レフカメラは、本第１の発明において、次の条件式を満足することを特徴とする。
０．００≦｜ｆ／ｆ２３｜＜０．３３３                        ・・・（５）
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
また、本第８の発明による接眼レンズを備えた一眼レフカメラは、本第１の発明において、次の条件式を満足することを特徴とする。
２．００＜  ｆｂ／Ｙ  ＜  ４．００                          ・・・（９）
また、本第９の発明による接眼レンズを備えた一眼レフカメラは、本第１の発明において、次の条件式を満足することを特徴とする。
−０．５６≦  ｆ３／ｆ  ＜−０．３３                          ・・・（６）
また、本第１０の発明による接眼レンズを備えた一眼レフカメラは、本第１の発明において、次の条件式を満足することを特徴とする。
−０．５６≦  ｆ３／ｆ  ＜−０．３７                          ・・・（８）
また、本第１１の発明による接眼レンズを備えた一眼レフカメラは、本第１の発明において、次の条件式を満足することを特徴とする。
−０．５６≦  ｆ３／ｆ  ＜−０．３５                          ・・・（１０）
また、本第１２の発明による接眼レンズを備えた一眼レフカメラは、本第１の発明において、次の条件式を満足することを特徴とする。
−０．５６≦  ｆ３／ｆ  ＜−０．４０                          ・・・（１１）
また、本第１３の発明による接眼レンズを備えた一眼レフカメラは、本第２の発明において、次の条件式を満足することを特徴とする。
１５ｍｍ＜  Ｙ  ＜  ３０ｍｍ                                ・・・（４）
ただし、Ｙはスクリーン面における画面対角長である。
また、本第１４の発明による接眼レンズを備えた一眼レフカメラは、本第２の発明において、次の条件式を満足することを特徴とする。
０．００≦｜ｆ／ｆ２３｜＜０．３３３                        ・・・（５）
ただし、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
また、本第１５の発明による接眼レンズを備えた一眼レフカメラは、本第２の発明において、次の条件式を満足することを特徴とする。
−０．５６≦  ｆ３／ｆ  ＜−０．４０                          ・・・（１１）
また、本第１６の発明による接眼レンズを備えた一眼レフカメラは、本第３の発明において、次の条件式を満足することを特徴とする。
２．００＜  ｆｂ／Ｙ  ＜  ５．００                          ・・・（２）
ただし、ｆｂはスクリーン面から第１レンズ成分の入射面までの空気換算長であり、接眼レンズが移動する場合は視度０ｍ-1における空気換算長、Ｙはスクリーン面における画面対角長である。
また、本第１７の発明による接眼レンズを備えた一眼レフカメラは、本第３の発明において、次の条件式を満足することを特徴とする。
２．００＜  ｆｂ／Ｙ  ＜  ４．００                          ・・・（９）
ただし、ｆｂはスクリーン面から第１レンズ成分の入射面までの空気換算長であり、接眼レンズが移動する場合は視度０ｍ-1における空気換算長、Ｙはスクリーン面における画面対角長である。
また、本第１８の発明による接眼レンズを備えた一眼レフカメラは、本第３の発明において、次の条件式を満足することを特徴とする。
１５ｍｍ＜  Ｙ  ＜  ３０ｍｍ                                ・・・（４）
ただし、Ｙはスクリーン面における画面対角長である。
また、本第１９の発明による接眼レンズを備えた一眼レフカメラは、本第３の発明において、次の条件式を満足することを特徴とする接眼レンズを備えた一眼レフカメラ。
−０．５６≦  ｆ３／ｆ  ＜−０．３７                          ・・・（８）
また、本第２０の発明による接眼レンズを備えた一眼レフカメラは、本第３の発明において、次の条件式を満足することを特徴とする。
−０．５６≦  ｆ３／ｆ  ＜−０．３５                          ・・・（１０）
また、本第２１の発明による接眼レンズを備えた一眼レフカメラは、本第３の発明において、次の条件式を満足することを特徴とする。
−０．５６≦  ｆ３／ｆ  ＜−０．４０                          ・・・（１１）
更に、本第２２の発明による接眼レンズを備えた一眼レフカメラは、本第１〜第３のいずれかの発明において、前記第１レンズ成分は両凸形状であり、前記第２レンズ成分は被写体側に凸面を向けたメニスカス形状であり、前記第３レンズ成分は被写体側面よりも瞳側面の方が曲率半径の絶対値が小さい形状であることを特徴とする。
【００１１】
【発明の実施の形態】
実施例の説明に先立ち、本発明の作用について説明する。
まず、本発明に共通の作用を説明する。
ファインダー系の倍率を上げるためには、接眼レンズの焦点距離を短くすれば良いが、一方で正立正像系を構成するための光路長を確保しなければならない。
本発明が適用対象としている接眼レンズを備えた一眼レフカメラでは、高倍率であり、かつ、大きな光路長を有しているため、接眼レンズの構成が難しくなる。
まず、画面サイズが小さいため、瞳からの射出角も小さくなってしまう。
そこで、本発明では、何れも、射出角を大きくし、見やすいファインダーとするために、条件式（１）を満たすように構成している。
０．１５＜  ｔａｎＳ  ＜０．３５                            ・・・（１）
ただし、Ｓは第３レンズ成分の射出面から光軸方向に２３ｍｍ離れた光軸上の点を通過する最軸外主光線と光軸とのなす角度であり、接眼レンズが移動する場合は視度０ｍ-1における角度、ｔａｎＳはそのタンジェントを表している。また、ここでは、観察者瞳位置が第３レンズ成分の射出面から光軸方向に２３ｍｍ離れた位置あると仮定し、その位置での最大射出角をＳとしている。
【００１２】
条件式(1)の上限を上回ると、少ないレンズ枚数でもって十分な収差補正を行うことが難しくなる。
一方、条件式(1)の下限を下回ると、面画が小さくなりすぎるため見にくいファインダーとなってしまう。
【００１３】
条件式（１）の射出角の条件を満足させ、且つ、像正立を行う複数の反射面を配置するための光路長を確保するために、基本的に焦点距離に比べて前側焦点までの距離が長い光学系を構成する必要が生じる。
そこで、本発明では、何れも、前記接眼レンズを、被写体側より順に、正の屈折力の第１レンズ成分、正の屈折力の第２レンズ成分、負の屈折力の第３レンズ成分を備えた構成とし、それにより、焦点距離に比べて前側焦点までの距離が長い光学系を達成している。
【００１４】
また、本発明においては、このような基本構成に加え、次の条件式の何れか一つ又は複数を満たすように構成すると、見えのより良好なファインダー系を達成することができる。
２．００＜  ｆｂ／Ｙ  ＜  ５．００                          ・・・（２）
−０．５６≦  ｆ３／ｆ  ＜−０．２５                          ・・・（３）
１５ｍｍ＜  Ｙ  ＜３０ｍｍ                                  ・・・（４）
０．００≦｜ｆ／ｆ２３｜＜０．３３３                          ・・・（５）
ただし、ｆｂはスクリーン面から第１レンズ成分の入射面までの空気換算長であり、接眼レンズが移動する場合は視度０ｍ-1における空気換算長、Ｙはスクリーン面における画面対角長、ｆ３は第３レンズ成分の焦点距離、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【００１５】
条件式(2)は、スクリーン面から第１レンズ成分の入射面までの好ましい空気換算長を規定する条件式である。
一般的には、スクリーン面から第１レンズ成分の入射面までのスペースにペンタダハプリズムあるいはペンタダハミラー等の正立正像光学系が配置されるため、これらのプリズムあるいはミラーが問題なく構成することができるだけの光路長が必要となる。
条件式(2)の下限を下回ると、反射面同士の干渉が生じやすくなってしまう。
一方、ファインダーの場合は画面の周辺に表示部材等を配置することも多く、その分だけ長い光路長を必要とする。そのため、条件式(2)の上限を上回ると、少ないレンズ枚数でもって十分な収差補正を行うことが困難となる。
【００１６】
条件式(3)は、収差補正と光路長確保をバランスさせるために、第３レンズ成分の焦点距離を規定する条件式である。
条件式(3)の下限を下回って負の屈折力が弱くなると、光路長の確保が難しくなる。
一方、条件式(3)の上限を上回って負の屈折力が強くなると、少ないレンズ枚数でもって十分な収差補正を行うことが難しくなる。
【００１７】
条件式(4)は上述の接眼レンズの構成において適する画面対角長を規定する条件式である。
条件式(4)の下限を下回ると、少ないレンズ枚数でもって所望の視野角を得ることが難しくなる。
条件式(4)の上限を上回ると、上述のような接眼レンズの構成を用いなくても十分な視野角と収差補正が行うことができるようになるが、画面が大きくなることによりカメラ全体のコンパクト化に制限を受けてしまう。
【００１８】
条件式(5)は、収差補正を良好とするため第２レンズ成分と第３レンズ成分の合成焦点距離を規定する条件式である。
なお、条件式(5)は絶対値で規定しているため、下限０を下回ってマイナスとなることはない。
一方、条件式(5)の上限を上回ると、軸上乃至軸外の収差バランスが崩れやすい。
特に、条件式(5)を満たすと、第２レンズ成分と第３レンズ成分でもってアフォーカルに近い構成になる。そのため、視度調整を行う際に第１レンズ成分で行う場合、焦点距離の変化が小さく、倍率変化の少ないファインダーとすることができる。
【００１９】
なお、視度調節に関しては、第１レンズ成分のみを移動することにより行っても良いが、接眼レンズの構成長を短くしていくと、第１レンズ成分の移動のみでは収差変動が起こりやすくなる。
そこで、第１レンズ成分と第２レンズ成分の双方を移動させて視度調整を行うようにすると、視度調整に伴う収差変動を抑えることが可能となる。無論、条件式(5)を満足した上で、このような視度調整を行う構成としてもよい。
【００２０】
また、接眼レンズのレンズ構成に関しては、第１レンズ成分、第２レンズ成分、及び第３レンズ成分を、夫々１つの単レンズまたは１つの接合レンズで構成すると、少ないレンズ枚数でもって十分に収差補正と光路長の確保を行うことができる。
【００２１】
更に、第１レンズ成分を両凸形状とし、第２レンズ成分を被写体側に凸面を向けたメニスカス形状とし、第３レンズ成分を被写体側面よりも瞳側面の方が曲率半径の絶対値が小さい形状とすれば、収差補正を行うことができ、且つ、接眼レンズの構成長を短くすることができるのでより好ましい。
【００２２】
また、収差補正、特に色収差を良好に補正するために、第１レンズ成分あるいは第２レンズ成分の少なくとも一方を接合レンズで構成するのが好ましい。特に、製造コストを考慮すると、レンズ径の小さくなる第２レンズ成分に接合レンズを用いるのがより好ましい。その際、第１レンズ成分と第３レンズ成分を夫々単レンズで構成すると、製造コストがより抑えられる。
【００２３】
次に、上述の条件式(1)、(2)、(3)、(4)、(5)に関し、より好ましい数値範囲を示す。
条件式(1)に関しては、下限値を０．２０又は０．２２とするのがより好ましい。
また、上限値を０．３０又は０，２５とするのがより好ましい。
【００２４】
条件式(2)に関しては、下限値を２．５０又は２．７０とするのがより好ましい。
また、上限値を４．００、３．５０又は３．２０とするのがより好ましい。
例えば、次の条件式(9)を満足するのがより好ましい。
２．００＜  ｆｂ／Ｙ  ＜  ４．００                        …(9)
ただし、ｆｂはスクリーン面から第１レンズ成分の入射面までの空気換算長であり、接眼レンズが移動する場合は視度０ｍ-1における空気換算長、Ｙはスクリーン面における画面対角長である。
【００２５】
条件式（３）に関しては、上限値を−０．３３、−０．３５、−０．３７又は−０．４０とするのがより好ましい。
例えば、次の条件式（６）、（８）、（１０）、（１１）の何れかを満足する構成とするのがより好ましい。
−０．５６≦  ｆ３／ｆ  ＜−０．３３                          ・・・（６）
−０．５６≦  ｆ３／ｆ  ＜−０．３７                          ・・・（８）
−０．５６≦  ｆ３／ｆ  ＜−０．３５                          ・・・（１０）
−０．５６≦  ｆ３／ｆ  ＜−０．４０                          ・・・（１１）
ただし、ｆ３は第３レンズ成分の焦点距離、ｆはスクリーン面から接眼レンズ射出面までの全系の焦点距離であり、接眼レンズが移動する場合は視度０ｍ-1における全系の焦点距離である。
【００２６】
条件式(4)に関しては、下限値を１７ｍｍ、又は２０ｍｍとするのがより好ましい。
また、上限値を２６ｍｍとするのがより好ましい。
例えば、次の条件式(12)を満足するのがより好ましい。
２０ｍｍ＜    Ｙ        ＜２６ｍｍ                        …(12)
ただし、Ｙはスクリーン面における画面対角長である。
【００２７】
条件式(5)に関しては、上限値を０．２５８、０．１８２又は０．１７６とするのがより好ましい。
例えば、次の条件式(7)を満足する構成とするのがより好ましい。
０．００≦｜ｆ／ｆ２３｜＜０．２５８                      …(7)
ただし、ｆはスクリーン面から接眼レンズ射出面までの全系の焦点距離であり、接眼レンズが移動する場合は視度０ｍ-1における全系の焦点距離、ｆ２３は第２レンズ成分と第３レンズ成分の合成焦点距離であり、両成分の間隔が調整可能な場合は視度０ｍ-1における第２レンズ成分と第３レンズ成分の合成焦点距離である。
【００２８】
【実施例】
以下、本発明の実施例を図面を用いて説明する。
図１は本発明の接眼レンズを備えた一眼レフカメラの各実施例に共通の概略構成図である。
図１に示す一眼レフカメラ１は、図示しないマウント部により、カメラに対して撮影レンズ２が交換可能に構成されている。なお、本発明では、撮影レンズを含まない構成であっても、撮影レンズが装着可能に構成されていれば一眼レフカメラであるものと定義する。
【００２９】
図１において、４は電子撮像素子としてのＣＣＤであり、このＣＣＤ４からの信号を元に処理回路で画像処理を行い、メモリーに画像情報を記憶させる。記憶された画像情報は、図示しないパソコン等により画像表示を行ったり、種々の情報記憶媒体に情報を記録し、保管することができる。
５は撮影レンズ２の光軸３上に撮影レンズ２とＣＣＤ４との間に配置されたクイックリターンミラーである。６はクイックリターンミラー５より反射された光路に配置されたファインダースクリーンであり、入射面又は射出面側は砂ずり面等で構成されている。７はペンタダハプリズムであり、ペンタダハプリズム７は光路順に、平面入射面７ａ、ダハ反射面７ｂ、平面反射面７ｃ、平面射出面７ｄを備えて構成されている。
８は接眼レンズであり、後述する各実施例に示す何れかの態様で構成されている。
接眼レンズ８の射出側には、カバーガラスとしての平行平面板９が設けられている。そして、射出した光束は観察者の瞳１０に導かれ、撮影しようとする画像が観察される。
【００３０】
なお、本発明の一眼レフカメラは、撮影レンズ２が一眼レフカメラ本体と一体化した交換可能でない構成であっても構わない。
また、ＣＣＤ４の代わりに写真用フイルムを配置した構成であっても構わない。
また、クイックリターンミラー５の代わりにハーフミラーや光路分割プリズムを用いた構成であっても構わない。
また、スクリーン面６は砂ずり面のほかに、微小プリズムの集合した面や、ホログラム面等で構成してもよい。
また、スクリーン面６に対向する面をフレネルレンズ面や凸面等の収斂作用を持つ光学面で構成し、画面周辺の集光作用を高めるようにしてもよい。
【００３１】
また、ペンタダハプリズム７のほかに、ダハミラーと平面ミラーとからなる構成や、夫々別個に像正立のための複数の反射面をもつ構成としてもよい。
また、この像正立系にプリズムを用いる場合は、入射面や射出面に光学的屈折力をもたせるか、又は、スクリーン面６の近傍に視野レンズを配けることで、より収差補正、集光効率の向上等を達成することが可能となる。
この場合、全系の焦点距離ｆはこのプリズムの屈折力も加えた値となる。一方、空気換算長ｆｂはスクリーン面６から接眼レンズ８の第１レンズ成分８ａの入射面までの空気換算長でよい。
【００３２】
また、カバーガラス９はあってもなくてもよいが、カバーガラス９を有する構成においては、角度Ｓの定義において、接眼レンズ８の第３レンズ成分８ｃの射出面から空気換算長でもって光軸方向に２３ｍｍ離れた光軸上の点での最軸外主光線と光軸とのなす角とする。
また、視度調整を行う構成とする場合は、接眼レンズ全体を光軸上で移動させるか、あるいは、後述する各実施例のように、いずれかのレンズ成分を移動させて行うようにすれば良い。
また、レンズ移動による視度調節を行わない構成としてもよい。例えば、接眼レンズを後述する各実施例における０ｍ-1の状態または他の状態において固定の構成とし、視度調整の際はカバーガラスを図示しない視度補正レンズに交換するように構成してもよい。
【００３３】
図２、３は本発明の各条件式における各要素を説明するための説明図である。図２は砂ずり面等で構成されるスクリーン面６を示したものである。スクリーン面６上若しくはその近傍には、視野範囲を制限するための構成（例えば黒塗り、視野枠等）が施されている。なお、Ｙは、スクリーン面６上における観察可能な範囲の画面対角長である。
【００３４】
図３は角度Ｓについての説明図である。この説明図のように、第３レンズ成分の射出面から２３ｍｍ離れた位置に観察者の瞳が位置した場合の最大視野角をＳとしている。
つまり、Ｓは、接眼レンズ８の第３レンズ成分８ｃの射出面から光軸方向に２３ｍｍ離れた光軸上の点を通過する最軸外主光線と光軸とのなす角度である。
【００３５】
第１実施例
図４は本発明による接眼レンズを備えた一眼レフカメラの第１実施例にかかる光学構成を示す光軸に沿う断面図であり、視度が０ｍ-1のときの状態を示している。なお、図４における平行平板状部材は説明の便宜上ペンタダハプリズムを転開して示したものである。図５は第１実施例における球面収差、非点収差、歪曲収差、倍率色収差を示す図であり、(a)は視度が＋１ｍ-1のとき、(b)は視度が０ｍ-1のとき、(c)は視度が−３ｍ-1のときの状態を示している。
第１実施例の接眼レンズを備えた一眼レフカメラは、ペンタダハプリズム７と、接眼レンズ８を備えている。
接眼レンズ８は、被写体側より順に、凹メニスカスレンズ８ａ1と両凸レンズ８ａ2との接合レンズからなる正の屈折力を有する第１レンズ成分８ａと、凸メニスカスレンズからなる正の屈折力を有する第２レンズ成分８ｂと、凹メニスカスレンズからなる負の屈折力を有する第３レンズ成分８ｃとで構成されている。また、視度調整は第１レンズ成分８ａを移動して行なうようになっている。
【００３６】
次に、第１実施例にかかる接眼レンズを備えた一眼レフカメラを構成する光学部材の数値データを示す。第１実施例の数値データにおいて、ｒ1、ｒ2、…は各レンズ面の曲率半径、ｄ1、ｄ2、…は各レンズ又はプリズムの肉厚または空気間隔、ｎd1、ｎd2、…は各レンズ又はプリズムのｄ線での屈折率、νd1、νd2、…は各レンズ又はプリズムのアッべ数、ｆｌはスクリーン面から接眼レンズ射出面までの全系の焦点距離を表している。
なお、本発明における非球面形状は、光軸方向をＺ軸とし、それに垂直な方向をＹ軸としたとき、次の式で表される。
Ｚ＝ｒ0Ｙ2／[１＋（１−ｒ02Ｙ2）1/2]＋Ａ４Ｙ4+Ａ６Ｙ6＋Ａ８Ｙ8
なお、これらの記号は後述の実施例の数値データにおいても共通である。
【００３７】
数値データ１
0004097932.tif 000002
0004097932.tif 000003
【００３８】
第２実施例
図６は本発明による接眼レンズを備えた一眼レフカメラの第２実施例にかかる光学構成を示す光軸に沿う断面図であり、視度が０ｍ-1のときの状態を示している。なお、図６における平行平板状部材は説明の便宜上ペンタダハプリズムを転開して示したものである。図７は第２実施例における球面収差、非点収差、歪曲収差、倍率色収差を示す図であり、(a)は視度が＋１ｍ-1のとき、(b)は視度が０ｍ-1のとき、(c)は視度が−３ｍ-1のときの状態を示している。
第２実施例の接眼レンズを備えた一眼レフカメラは、ペンタダハプリズム７と、接眼レンズ８を備えている。
接眼レンズ８は、被写体側より順に、両凸レンズからなる正の屈折力を有する第１レンズ成分８ａと、両凸レンズ８ｂ1と両凹レンズ８ｂ2との接合レンズからなる正の屈折力を有する第２レンズ成分８ｂと、両凹レンズからなる負の屈折力を有する第３レンズ成分８ｃとで構成されている。また、視度調整は第１レンズ成分８ａと第２レンズ成分８ｂとを移動して行なうようになっている。
【００３９】
次に、第２実施例にかかる接眼レンズを備えた一眼レフカメラを構成する光学部材の数値データを示す。
数値データ２
0004097932.tif 000004
0004097932.tif 000005
【００４０】
第３実施例
図８は本発明による接眼レンズを備えた一眼レフカメラの第３実施例にかかる光学構成を示す光軸に沿う断面図であり、視度が０ｍ-1のときの状態を示している。なお、図８における平行平板状部材は説明の便宜上ペンタダハプリズムを転開して示したものである。図９は第３実施例における球面収差、非点収差、歪曲収差、倍率色収差を示す図であり、(a)は視度が＋１ｍ-1のとき、(b)は視度が０ｍ-1のとき、(c)は視度が−３ｍ-1のときの状態を示している。
第３実施例の接眼レンズを備えた一眼レフカメラは、ペンタダハプリズム７と、接眼レンズ８を備えている。
接眼レンズ８は、被写体側より順に、両凸レンズからなる正の屈折力を有する第１レンズ成分８ａと、両凸レンズ８ｂ1と両凹レンズ８ｂ2との接合レンズからなる正の屈折力を有する第２レンズ成分８ｂと、凹メニスカスレンズからなる負の屈折力を有する第３レンズ成分８ｃとで構成されている。また、視度調整は第１レンズ成分８ａを移動して行なうようになっている。
【００４１】
次に、第３実施例にかかる接眼レンズを備えた一眼レフカメラを構成する光学部材の数値データを示す。
数値データ３
0004097932.tif 000006
0004097932.tif 000007
【００４２】
第４実施例
図１０は本発明による接眼レンズを備えた一眼レフカメラの第４実施例にかかる光学構成を示す光軸に沿う断面図であり、視度が０ｍ-1のときの状態を示している。なお、図１０における平行平板状部材は説明の便宜上ペンタダハプリズムを転開して示したものである。図１１は第４実施例における球面収差、非点収差、歪曲収差、倍率色収差を示す図であり、(a)は視度が＋１ｍ-1のとき、(b)は視度が０ｍ-1のとき、(c)は視度が−３ｍ-1のときの状態を示している。
第４実施例の接眼レンズを備えた一眼レフカメラは、ペンタダハプリズム７と、接眼レンズ８を備えている。
接眼レンズ８は、被写体側より順に、両凸のガラスモールド非球面レンズよりなる正の屈折力を有する第１レンズ成分８ａと、凸メニスカスレンズよりなる正の屈折力を有する第２レンズ成分８ｂと、両凹レンズよりなる負の屈折力を有する第３レンズ成分８ｃとで構成されている。また、視度調整は第１レンズ成分８ａと第２レンズ成分８ｂとを移動して行なうようになっている。
なお、第４実施例において、第１レンズ成分８ａを構成するガラスモールド非球面レンズをＰＭＭＡ等のプラスチック非球面レンズに置換えることは容易である。
【００４３】
次に、第４実施例にかかる接眼レンズを備えた一眼レフカメラを構成する光学部材の数値データを示す。
数値データ４
0004097932.tif 000008
0004097932.tif 000009
【００４４】
次に、各実施例における本発明の条件式の数値を下表に示す。
0004097932.tif 000010
【００４５】
なお、第１、第２、第３実施例は、射出瞳が最終レンズ面から２３．０ｍｍ離れた位置に形成されることを想定して設計したものである。
一方、第４実施例は、射出瞳が最終レンズ面から２３．５ｍｍ離れた位置に形成されることを想定して設計したものである。ただし、条件式(1)の算出値については定義通り、最終レンズ面から２３．０ｍｍ離れた位置における最軸外主光線と光軸とのなす角としてある。
【００４６】
また、各条件式の要素値は下表の通りである。
0004097932.tif 000011
【００６８】
【発明の効果】
本発明によれば、画面サイズが１３５Ｆの半分程度で、光路長の長いファインダーにおいて、高倍率かつ見えの良い接眼レンズを備えた一眼レフカメラを得ることができる。
【図面の簡単な説明】
【図１】本発明の接眼レンズを備えた一眼レフカメラの各実施例に共通の概略構成図である。
【図２】本発明の各条件式における要素を説明するための図であり、砂ずり面等で構成されるスクリーン面を示したものである。
【図３】本発明の各条件式における要素を説明するための図であり、角度Ｓについての説明図である。
【図４】本発明による接眼レンズを備えた一眼レフカメラの第１実施例にかかる光学構成を示す光軸に沿う断面図であり、視度が０ｍ-1のときの状態を示している。
【図５】第１実施例における球面収差、非点収差、歪曲収差、倍率色収差を示す図であり、(a)は視度が＋１ｍ-1のとき、(b)は視度が０ｍ-1のとき、(c)は視度が−３ｍ-1のときの状態を示している。
【図６】本発明による接眼レンズを備えた一眼レフカメラの第２実施例にかかる光学構成を示す光軸に沿う断面図であり、視度が０ｍ-1のときの状態を示している。
【図７】第２実施例における球面収差、非点収差、歪曲収差、倍率色収差を示す図であり、(a)は視度が＋１ｍ-1のとき、(b)は視度が０ｍ-1のとき、(c)は視度が−３ｍ-1のときの状態を示している。
【図８】本発明による接眼レンズを備えた一眼レフカメラの第３実施例にかかる光学構成を示す光軸に沿う断面図であり、視度が０ｍ-1のときの状態を示している。
【図９】第３実施例における球面収差、非点収差、歪曲収差、倍率色収差を示す図であり、(a)は視度が＋１ｍ-1のとき、(b)は視度が０ｍ-1のとき、(c)は視度が−３ｍ-1のときの状態を示している。
【図１０】本発明による接眼レンズを備えた一眼レフカメラの第４実施例にかかる光学構成を示す光軸に沿う断面図であり、視度が０ｍ-1のときの状態を示している。
【図１１】第４実施例における球面収差、非点収差、歪曲収差、倍率色収差を示す図であり、(a)は視度が＋１ｍ-1のとき、(b)は視度が０ｍ-1のとき、(c)は視度が−３ｍ-1のときの状態を示している。
【符号の説明】
１          一眼レフカメラ
２          撮影レンズ
３          光軸
４          ＣＣＤ
５          クイックリターンミラー
６          スクリーン面
７          ペンタダハプリズム
７ａ        平面入射面
７ｂ        ダハ反射面
７ｃ        平面反射面
７ｄ        平面射出面
８          接眼レンズ
８ａ        正の屈折力を有する第１レンズ成分
８ａ1       凹メニスカスレンズ
８ａ2       両凸レンズ
８ｂ        正の屈折力を有する第２レンズ成分
８ｂ1       両凸レンズ
８ｂ2       両凹レンズ
８ｃ        負の屈折力を有する第３レンズ成分
９          平行平面板（カバーガラス）
１０        観察者の瞳（射出瞳）
【図１】
0004097932.tif 000012
【図２】
0004097932.tif 000013
【図３】
0004097932.tif 000014
【図４】
0004097932.tif 000015
【図５】
0004097932.tif 000016
【図６】
0004097932.tif 000017
【図７】
0004097932.tif 000018
【図８】
0004097932.tif 000019
【図９】
0004097932.tif 000020
【図１０】
0004097932.tif 000021
【図１１】
0004097932.tif 000022